(57)【要約】【課題】降雨時に、傘をさした歩行者をドライバーが出来るだけ早く確認出来るように、高い位置の石突本体を点滅する明かりにし、既存傘の石突も取替え可能にした自動オン、オフの石突を提供する。【解決手段】石突本体（Ａ）に、光源（１），傾斜スイッチ（２）、主スイッチ（３）、電源収納容器（４）、それに傘取り付け部品（９ｂ），（１０）を内蔵した石突。光源（１）を上側とする石突本体の鉛直方向に対する傾斜角度が所定の角度以内である時オンと成り、ＬＥＤ（１）が点滅する石突。【選択図】図２
2004229950.tif 000002
【特許請求の範囲】
【請求項１】
石突本体（Ａ）に光源（１）傾斜スイッチ（２）主スイッチ（３）電源（４）それに、傘に取り付け用の部品（９ａ）、（１０）を内蔵した事が特徴の石突。先端の光源（１）を、キャップ（５）、フード（６）で覆ってある。石突本体（Ａ）の傾き角度が、光源（１）を上側とした鉛直方向の所定の角度以内の時オンとなるよう、傾斜スイッチ（２）が作動し、光源（１）への電気の供給、遮断を自動で行う電気回路を備えた石突。
【請求項２】
前記傾斜スイッチ（２）は、石突本体（Ａ）に内蔵した電源（４）から供給された電気が、リード線（４ｂ）を経由して、主スイッチ（３）リードスイッチ（２ｃ）へと繋がる。リードスイッチ（２ｃ）は弾性素材で出来ていて常に接点が開いてオフ状態であるが、軸方向に平行してリードスイッチの胴体に取り付けた非磁性筒（２ｂ）の中の可動玉形磁石（２ａ）が、光源部（１）を上側とする石突本体（Ａ）の鉛直方向に対する所定の傾斜角度以内になった時、非磁性筒（２ｂ）端の上部返し（２ｄ）から下部返し（２ｅ）に転んで移動し、下部返し（２ｅ）で保持されるとリードスイッチ（２ｃ）の接点が磁石の磁力作用で閉じてオンとなり、ＬＥＤ（１）を点灯さす事を特徴とする請求項１記載の石突。
【請求項３】
前記光源（１）は、ＬＥＤを使用し、数条の出っ張り（１ａ）とＬＥＤ保持くぼみ（１ｂ）付きキャップ（６）、底鋲付きフード（７）で覆う事を特徴とする請求項１記載の石突。
【請求項４】
前記電源（４ａ）は、フード（６）をはずした上、キャップ（５）に一体化されたＬＥＤカプセル（８）を光源方向に引き出だし、電源交換が出来る事を特徴とした請求項１記載の石突。
【請求項５】
前記傘への取り付け用部品は、シリンダー（９）が多重構造又は、中間シリンダー（９ａ）と一対型になっていて、内側に位置するシリンダー（９ｂ）には軸方向の隙間９ｃを設け、シャフト（１２）取り付けが出来、ネジに対応する部品も内蔵し傘取り付けが出来る事が特徴の請求項１に記載の石突。
【発明の詳細な説明】
【０００１】
【発明の属する技術分野】
本発明は、降雨時の交通安全のために、傘の石突本体として取り付け、光源（１）、傾斜スイッチ（２）、主スイッチ（３）、電源（４）それに、傘取り付け部品（９ｃ）、（１０）を石突本体（Ａ）に内蔵し、この石突の傾きを傾斜スイッチ（２）が検知して、ＬＥＤ（１）を自動でオン、オフさせる、汎用傘の石突も取り替え可能にした事が特徴の、交通安全に役立つ石突である。
【０００２】
【従来の技術】
電気利用の従来品は、傘本体と石突部に部品が何らかの形で関係していながらも分かれて置かれた構造で、傘か石突部どちらかが悪くなると使用不可能であって、既存の傘に装置を取り替えることも困難である。
【０００３】
【発明が解決しようとする課題】
降雨時に、車のドライバー等が傘をさした歩行者の存在を早く確認出来るように、傘をさした歩行者のより高い所に位置する石突部本体として明かりを取り付け、しかも、利用者が簡単に使え、手持ちの傘の石突にも交換可能な交通安全に役立つ自動オン、オフの石突を提供する
【０００４】
【課題を解決するための手段】
石突本体（Ａ）に光源（１）傾斜スイッチ（２）主スイッチ（３）電源収納容器（４）、それに汎用傘の石突取り付け用部品（９ｂ），（１０）を内蔵する事を特徴とする石突。光源には、ＬＥＤ（１）を使用。光源を見え易くする為キャップ（５）とフード（６）でＬＥＤ（１）を覆う。傾斜スイッチ（２）で、石突本体の光源（１）を上側とした鉛直方向に対する石突先端の角度が所定角度以内で、玉形磁石（２ａ）が転び、非磁性筒（２ｂ）の下部返り（２ｅ）で保持され、その磁力で、非磁性筒（２ｂ）の筒側面に軸方向に平行して取り付けたリードスイッチ（２ｃ）の弾性素材製接点が閉ざされ、オンとなりＬＥＤ（１）が点滅点灯する。傾き角度が所定外になると磁石（２ａ）が逆に転び上部返し（２ｄ）で保持されると、磁力の影響が無くなった接点が弾力で開き、オフとなり消灯する自動操作の石突である。傘が不要の際は、メインスイッチ（３）をオフに操作する。電源（４ａ）の交換もＬＥＤ（１）方向から出来、汎用の石突にも交換できて、交通安全に寄与出来る石突。（図４、図５参照）
【０００５】
【発明の実施の形態】
以下、本発明の実施の形態について説明する。
（イ）．ＬＥＤ（１）、傾斜スイッチ（２）、主スイッチ（３）それに、電源収納容器  （４）をリード線で配線しＬＥＤカプセル（８）に収納。キャップ（５）、シールド（５ｃ）を取り付けシリンダー（９）に挿入し、フード（６）を取り付ける。ＬＥＤ（１）には、超高輝度点滅ＬＥＤを使用（図２、図３参照）。  （ロ）．  前記（イ）の傾斜スイッチ（２）は、玉形磁石（２ａ）の入った非磁性筒（２ｂ）と、軸方向に平行にその胴体に取り付けたリードスイッチ（２ｃ）で構成、リードスイッチ（２ｂ）の取り付け位置は、筒（２ｂ）の両端にある返し（２ｄ），（２ｅ）の位置と重要な関係があり、磁石（２ａ）の作用を見て固定。玉形磁石（２ａ）は小型化の為、６ｍｍを使用、非磁性筒（２ｂ）内径は磁力との関係で６．５ｍｍ、長さ１０ｍｍ、リードスイッチ（２ｂ）は、長さ１０ｍｍである。
（ハ）．主スイッチ（３）に防水スイッチガイド（３ａ）を取りつける。
（ニ）．シリンダー（９）の底部キャップ（１１）をはずし、傘の取り付け部の部品を選択。シャフト時は、ネジ（１０）を取り去り底部キャップ（１１）を通して、スリッタシリンダー（９ｂ）にしっかり取り付ける。ネジの時は、先に底部キャップ（１１）を傘の雄ネジに通しネジ（１０）で固定した上、シリンダー（９）を底部キャップ（１１）に挿入して、石突本体（Ａ）を取り付ける。（図５参照）
【０００６】
【発明の効果】
降雨時は、暗くしかも視界が悪い。傘をさした歩行者は後方確認が出来ず交通安全の点でも危険である。せめて、車のドライバーが歩行者の存在を出来る限り早く認知することが出来れば、事故防止につながると考える。この発明により、歩行者の高い位置にある石突が光ること、自動で点灯、消灯出来て点け忘れが防止でき、降雨時の歩行者の交通事故の軽減に十分寄与できる。また、石突本体の為、汎用の手持ち傘の石突にも取り替えられ、経済的にも、利便性でも誰にでも使え、事故防止の為に役立つ石突。
【図面の簡単な説明】
【図１】本発明を傘に取り付けた図である。
【図２】本発明の断面図である。
【図３】本発明のＬＥＤカプセルで、電気部分である。
【図４】本発明の傾斜スイッチとオン、オフの詳細図である。
【図５】本発明の傘取り付け部品と、取り付け詳細図である。
【図６】本発明の電気配線図である。
【符号の説明】
Ａ  石突本体
１  ＬＥＤ
２    傾斜スイッチ
２ａ  玉形磁石
２ｂ  非磁性筒
２ｃ  リードスイッチ
２ｄ    上部返り
２ｅ  下部返り
３      主スイッチ
３ａ    防水  スイッチガイド
４      電源収納容器
４ａ    電源
４ｂ    リード線
５    キャップ
５ａ    内面出っ張り
５ｂ    ＬＥＤ保持用くぼみ
６    フード
７    底鋲
７ａ    ビス
７ｂ    アクリル柱
８    ＬＥＤカプセル
９    シリンダー
９ａ    中間シリンダー
９ｂ    スリットシリンダー
９ｃ  スリット
１０    ナット
１０ａ  ワシャ
１１    底部キャップ
１２    傘の取り付け部
【図１】
2004229950.tif 000003
【図２】
2004229950.tif 000004
【図３】
2004229950.tif 000005
【図４】
2004229950.tif 000006
【図５】
2004229950.tif 000007
【図６】
2004229950.tif 000008